(57)【要約】【課題】衝撃緩衝機能を備えているにもかかわらず、外観が従来の剣道用面と変わらず、かつ、吸水性及び通気性に優れた剣道用防具を提供する。【解決手段】剣道用防具に使用される布団として、ふやかした状態の生革を挟み込んだ芯材の表・裏面に布を積層して積層体を形成し、ふやかした状態の生革が乾燥する前に積層体を刺し子縫いによって縫合すると共に所定形状に成形し、積層体を所定形状に保持してふやかした状態の生革を乾燥させてなる布団を採用する。【選択図】  図２
2015051053.tif 000002
【特許請求の範囲】
【請求項１】
剣道用防具に使用される布団であって、生革と該生革を挟み込んだ芯材と該芯材の表・裏面を被覆する布とが刺し子縫いによって縫合されており、生革が、剣道用防具における打撃が集中する範囲を含むように設置されていると共に当該範囲の形状に合わせて湾曲していることを特徴とする剣道用防具に使用される布団。
【請求項２】
前記請求項１記載の剣道用防具に使用される布団を備えた剣道用防具。
【請求項３】
剣道用防具に使用される布団の製造方法であって、ふやかした状態の生革を挟み込んだ芯材の表・裏面に布を積層して積層体を形成し、ふやかした状態の生革が乾燥する前に積層体を刺し子縫いによって縫合すると共に所定形状に成形し、積層体を所定形状を保持してふかやした状態の生革を乾燥させることを特徴とする剣道用防具に使用される布団の製造方法。
【発明の詳細な説明】
【技術分野】
【０００１】
本発明は、剣道用防具に使用される布団、当該布団を備えた剣道用防具及び当該布団の製造方法に関するものである。
【背景技術】
【０００２】
周知のとおり、面、胴、小手及び垂れから構成される剣道用防具は、競技者を竹刀による打撃から保護するためのものであるが、競技者の動作を阻害しないように胴及び面の一部のみが金属、竹などの硬質素材によって形成され、その他の部分は布、革、綿などの軟質素材によって形成されており、軟質素材によって形成された部分は、硬質素材によって形成された部分よりも打撃の衝撃が通り易くなっている。
【０００３】
このため、剣道用防具の軟質素材によって形成された部分の中でも竹刀の打撃が集中する部分には、「布団」と呼ばれる緩衝部材が取り付けられている。なお、布団は、一般的に表・裏面を構成する布の間に綿などの芯材が積層された構造になっており、竹刀の打撃による衝撃が競技者に伝わることを緩和する役割を果たす。
【０００４】
ところが、従来の剣道用防具に採用されている布団では、竹刀の打撃による衝撃が十分に緩和されず、競技者が強烈な痛みを感じることから、その痛みに耐えることができない子供たちが剣道から離れてしまうことが多く、剣道の普及を阻害する一つの要因となっている。
【０００５】
このため、竹刀の打撃による衝撃の緩衝能力を向上させた布団を備えた剣道用防具が多数開発されており、例えば、後出特許文献１には、主要布団部分をヌメ革にした剣道用面が開示されており、後出特許文献２には、面本体に特殊材または厚革を収納する頂部を形成し左右の耳部に薄い加工せる特殊材もしくは穴を開けてある厚革を介装せしめ、面の垂部には加工せる特殊材または数枚の薄皮を表裏にカーブ状にて縫成してなる剣道の面が開示されている。
【０００６】
また、後出特許文献１には、フェルトが布と布との間に挟みこまれた積層体の全面領域のうち、特定の領域内のフェルト間に高衝撃吸収材が内蔵され、当該積層体の全面領域に刺し子縫いが施された布団を備える剣道用防具において、前記特定の領域が、前記全面領域のうち、打撃の頻度が高い領域であり、前記特定の領域におけるフェルトは他の領域に比べて厚みは薄くされ、高衝撃吸収材を挿入することによって他の領域と同じ厚みを保った剣道用防具が開示されている。
【先行技術文献】
【特許文献】
【０００７】
【特許文献１】実開昭５９−１５９４７２号公報
【特許文献２】実開昭４８−５１４７５号公報
【特許文献３】特開２０１２−２００５６号公報
【発明の概要】
【発明が解決しようとする課題】
【０００８】
しかし、一般的に、剣道の競技者は、自身が竹刀の打撃によって受ける痛みに耐えられないことを他者に悟られることを嫌う傾向にあり、前記特許文献１に開示された剣道用面のように、厚き床鹿革を張り合わせた構成の布団を採用したものや、前記特許文献２に開示された剣道の面のように、特殊材や薄皮などを表面に縫い付けた構成の布団を採用したものは、その外観から衝撃緩衝機能を備えているを他者に悟られるため、剣道の競技者に受け入れられないという問題点があった。
【０００９】
一方、前記特許文献３に開示された剣道用面においては、布と布との間に挟み込まれたフェルトの間に高衝撃吸収材が内蔵されており、かつ、刺し子縫いを施した構成の布団であるため、外観が従来の剣道用面と変わらないことから、前記特許文献１及び２に開示された剣道用面（剣道の面）が持つ問題点を解消しているが、高衝撃吸収材として使用されるポリウレタン樹脂やシリコーンゲルは吸水性及び通気性がないことから、剣道用面を装着した競技者から発生する湿気や熱気が剣道用面の外部に発散されずに内包されてしまうという問題点があった。
【００１０】
そこで、本発明者は、衝撃緩衝機能を備えているにもかかわらず、外観が従来の剣道用面と変わらず、かつ、吸水性及び通気性に優れた剣道用防具を得ることを技術的課題として、その具現化をはかるべく、試行錯誤的に試作・実験を重ねた結果、剣道用防具に使用される布団として、ふやかした状態の生革を挟み込んだ芯材の表・裏面に布を積層して積層体を形成し、ふやかした状態の生革が乾燥する前に積層体を刺し子縫いによって縫合すると共に所定形状に成形し、積層体を所定形状に保持してふやかした状態の生革を乾燥させてなる布団を採用すれば、衝撃緩衝機能を備えているにもかかわらず、外観が従来の剣道用面と変わらず、かつ、吸水性及び通気性に優れた剣道用防具を得られるという刮目すべき知見を得、前記技術的課題を達成したものである。
【課題を解決するための手段】
【００１１】
前記技術的課題は、次の通りの本発明によって解決できる。
【００１２】
すなわち、本発明に係る剣道用防具に使用される布団は、生革と該生革を挟み込んだ芯材と該芯材の表・裏面を被覆する布とが刺し子縫いによって縫合されており、生革が、剣道用防具における打撃が集中する範囲を含むように設置されていると共に当該範囲の形状に合わせて湾曲しているものである。
【００１３】
また、本発明に係る剣道用防具は、前記剣道用防具に使用される布団を備えたものである。
【００１４】
さらに、本発明に係る剣道用防具に使用される布団の製造方法は、ふやかした状態の生革を挟み込んだ芯材の表・裏面に布を積層して積層体を形成し、ふやかした状態の生革が乾燥する前に積層体を刺し子縫いによって縫合すると共に所定形状に成形し、積層体を所定形状を保持してふかやした状態の生革を乾燥させるものである。
【発明の効果】
【００１５】
本発明によれば、剣道用防具に使用される布団の緩衝部材として生革を採用し、布団を形成する過程で生革をふやかしているため、布団の製造に使用される一般的な工業用ミシンであっても刺し子縫いを施すことができる。また、布団を形成する過程で生革が乾燥する前に刺し子縫いしたので、生革が乾燥した後に刺し子縫いの糸が通された貫通孔が僅かに拡大して通気孔の役割を果たし、剣道用防具の通気性を向上させる。さらに、布団を形成する過程で生革が乾燥する前に所定形状に成形し、その後生革を乾燥させたので、生革が当該所定形状を維持した状態で硬化し、これにより、布団が型崩れし難くなる。
【００１６】
従って、本発明の産業上利用性は非常に高いといえる。
【図面の簡単な説明】
【００１７】
【図１】実施の形態１に係る剣道用面を示した斜視図である。
【図２】図１に示す剣道用面を示した中央縦端面図である。
【図３】図１に係る剣道用面の面布団の製造方法を示した説明図である。
【図４】実施の形態１に係る剣道用小手を示した平面図である。
【図５】図１に示す剣道用小手を示したＡ−Ａ端面図である。
【図６】図１に示す剣道用小手の小手布団を伸ばした状態を示した平面図である。
【発明を実施するための形態】
【００１８】
以下、本発明の実施の形態を説明する。
【００１９】
実施の形態１．
【００２０】
本実施の形態は、剣道用防具における布団を備えた剣道用面に関するものである。本実施の形態に係る剣道用面１は、図１に示すように、競技者の顔面を保護する面金２と、面金２の下辺を除く周辺に固定され、競技者の頭頂、側頭及び肩を保護する面布団３と、面金２の下方へ垂れ下がるように固定され、競技者の顎及び喉を保護する突き垂４及び用心垂５とから構成されている。
【００２１】
面金２は、硬質素材によって形成されており、楕円形状の台輪６と、台輪６の中央に上下方向へ伸びるように架け渡される縦金７と、縦金７から左右対称に台輪６へ伸びるように架け渡される複数の横金８とによって構成されている。そして、縦金７及び横金８は、前方へ突出して湾曲しており、これにより、面金２は、前方へ突出した御椀状になっている。また、複数の横金８のうちで競技者の目の高さに位置する一対の横金９，１０の間に形成される隙間は他の横金８の間に形成される隙間よりも僅かに広く開いて物見１１を形成している。なお、硬質素材としては、ジュラルミン、チタンなどの金属を使用すればよい。
【００２２】
面布団３は、図２及び図３に示すように、表面を構成する表布１２と、裏面を構成する裏布１３と、表・裏布１２，１３の間に内層される二重に積層された芯材１４，１５と、二重に積層された芯材１４，１５の間に内層される生革１６とによって積層体１７を構成しており、当該積層体１７を構成する各部材１２，１３，１４，１５，１６を複数の糸１８が平行に並ぶ配列となるように刺し子縫い（図３の（ｃ）参照）で縫合することによって形成されている。また、積層体１７の周縁は、表・裏布１２，１３や芯材１４，１５のほつれを防止するために縁を閉じるように薄革１９が縫合されている。なお、生革１６は、図１及び図３の（ｂ）において斜め格子Ｘにて示すように、面布団３における竹刀の打撃が集中する範囲を含むように積層されている。表・裏布１２，１３としては、「紺反」と呼ばれる藍染された木綿を使用すればよく、芯材１４，１５としては、フェルト、綿、毛氈などを使用すればよく、薄革１９としては、鹿革、人工皮革などを使用すればよい。
【００２３】
生革１６は、脱毛して皮下脂肪などを取り除いた牛皮に鞣しを施さないで油脂やグリセリンなどの防腐剤を添加して乾燥させたものであり、ピッカーとも呼ばれるものである。そして、生革１６は、水やお湯でふやかすことによって適度に軟化し、乾燥させることによって硬化する性質を有している。また、生革１６は、水やお湯でふやかして軟化させた状態で所定形状に成形し、当該所定形状を保持しながら乾燥させれば、当該所定形状を維持したままの状態で硬化する性質を有している。なお、生革１６としては、２ｍｍ〜４ｍｍのものを使用することが最適である。
【００２４】
突き垂４及び用心垂５は、舌状に成形された一対の薄革の間に芯材を挟み込んだ積層体の周縁を縫合することによって形成されている。薄革としては、鹿革などを使用すればよく、芯材としては、フェルト、綿、毛氈などを使用すればよい。
【００２５】
そして、図１に示すように、面金２には、台輪６前面を覆うように面縁２０が固定されており、面縁２０の台輪６外方に位置する外周縁には、下端部を除く部分に鋲２１によって面布団３が取り付けられており、下端部に突き垂４が取り付けられている。さらに、図２に示すように、面縁２０の台輪６内方に位置する内周縁には、競技者の顔面に密着する内輪２２が取り付けられており、内輪２２の下端部に用心垂５が取り付けられている。
【００２６】
ここで、面布団３における竹刀の打撃が集中する範囲とは、剣道用面１の面打ちで狙われる頭頂部及びその近傍の範囲を示している。なお、当該範囲は、剣道において剣道用面１の頭頂部を竹刀で的確に面打ちすることによって一本の判定が得られ、面打ちには、竹刀の振り下ろし方によって正面打ちと左右面打ちが存在し、これらの面打ちが反れることがあることを想定した範囲である。
【００２７】
さらに、面布団３における竹刀の打撃が集中する範囲を具体的に示すと、図１に示すように、面金２の物見１１となる一対の横金９，１０の間に形成される隙間の延長線上に位置付けられる面布団３の前端が位置する箇所と、面金２の上端から後方へ伸びる直線上に位置付けられる面布団３の後端部に位置する箇所とをそれぞれ頂点として形成される三角形を含む範囲である。なお、生革１６は、当該三角形の含む範囲であれば、当該三角形よりも広い範囲に設置してもよい。
【００２８】
次に、本実施の形態に係る剣道用面１の面布団３の製造方法を図３に基づいて説明する。なお、図３の（ｃ）及び（ｄ）において、生革１６を一点鎖線にて示している。
【００２９】
先ず、生革１６を水又はお湯に浸してふやかす。この時、生革１６は、一般的に剣道用防具の刺し子縫いに使用される工業用ミシンを使用して縫合できる程度に軟化させることが好ましい。次に、図３の（ａ）に示すように、生革１６から水を拭った後、軟化した状態の生革１６の表・裏面に芯材１４，１５を積層し、さらに、一方側の芯材１４の表面に表布１２を積層させると共に、他方側の芯材１５の裏面に裏布１３を積層して積層体１７を形成する。次に、図３の（ｃ）に示すように、積層体１７を構成する各部材１２，１３，１４，１５，１６を複数の糸１８を刺し子縫いすることによって縫合する。この時、複数の糸１８は、積層体１７の平行に並んだ状態で長手方向に伸びるように配列されている。次に、積層体１７の周縁のほつれを防止するために薄革１９を縫い付けた後、図３の（ｃ）に示すように、積層体１７を面金２の台輪６の外周形状に合わせてＵ字状に湾曲させて保持した状態で乾燥させる。最後に、図１に示すように、Ｕ字状に湾曲した状態で硬化した積層体１７を面金２の台輪６前面に固定された面縁２０の外周縁に鋲２１を介して固定する。
【００３０】
なお、本実施の形態に係る面布団３においては、複数の糸１８を長手方向に伸びて平行に並ぶ配列になるように刺し子縫いして積層体１７を縫合しているが、積層体１７を刺し子縫いして縫合する複数の糸１８の配列はこれに限定されず、積層体１７全面が刺し子縫いによって縫合されていれば、他の配列になっていてもよい。
【００３１】
また、本実施の形態に係る生革１６として所定数の通気孔を開口させたものを使用してもよい。
【００３２】
実施の形態２．
【００３３】
本実施の形態は、剣道用防具における布団を備えた剣道用小手に関するものである。なお、図４〜図６において、図１〜図３と同一符号は同一又は相当部分を示している。本実施の形態に係る剣道用小手２３は、図４に示すように、競技者の手を保護する小手頭２４と、競技者の手首を保護する筒２５と、競技者の前腕手首側を保護する小手布団２６とを備えており、各部材２４，２５，２６はグローブ状に結合されている。
【００３４】
小手頭２４は、ミトン状に成形された一対の薄革の間に芯材を挟み込んだ積層体の周縁を縫合することによって形成されている。また、小手頭２４の筒２５と連結される手首側には、頑丈な素材によって形成された生子２７が設けられている。薄革としては、鹿革などを使用すればよく、芯材としては、鹿毛や人工綿などを使用すればよい。
【００３５】
筒２５は、剣道における小手打ちにおいて狙われる場所であるため、小手頭２４と同様に形成されている。
【００３６】
小手布団２６は、図５及び図６に示すように、表面を構成する表布１２と、裏面を構成する裏布１３と、表・裏布１２，１３の間に内層される二重に積層された芯材１４，１５と、二重に積層された芯材１４，１５の間に内層される生革１６とによって積層体１７を構成しており、当該積層体１７を構成する各部材１２，１３，１４，１５，１６を複数の糸１８が平行に並ぶ配列となるように刺し子縫い（図６参照）して縫合されている。また、積層体１７の周縁は、表・裏布１２，１３や芯材１４，１５のほつれを防止するために縁を閉じるように薄革１９が縫合されており、積層体１７の両短辺側には、小手紐（図示せず）を通すための紐穴２８が形成されている。なお、生革１６は、図４及び図６において斜め格子Ｘにて示すように、小手布団２６における竹刀の打撃が集中する範囲に積層されている。表・裏布１２，１３としては、「紺反」と呼ばれる藍染された木綿を使用すればよく、芯材１４，１５としては、フェルト、綿、、毛氈などを使用すればよく、生革としては、前記実施の形態１における面布団に使用される生革と同じものを使用すればよい。
【００３７】
ここで、小手布団２６における竹刀の打撃が集中する範囲とは、剣道用小手２３の小手打ちで狙われる筒２５の近傍の範囲を示している。なお、当該範囲は、剣道において剣道用小手２３の筒２５を竹刀で的確に面打ちすることによって一本の判定が得られ、小手打ちが反れることがあることを想定した範囲である。
【００３８】
さらに、小手布団２６における竹刀の打撃が集中する範囲を具体的に示すと、図４に示すように、小手頭２４の手の甲側から続く面である。なお、生革１６は、当該範囲を含めば、該範囲よりも広い範囲に設置してもよい。
【００３９】
次に、本実施の形態に係る剣道用小手２３の小手布団２６の製造方法を説明する。
【００４０】
先ず、生革１６を水又はお湯に浸してふやかす。この時、生革１６は、一般的に剣道用防具の刺し子縫いに使用される工業用ミシンを使用して縫合できる程度に軟化させることが好ましい。次に、生革１６から水を拭った後、軟化した状態の生革１６の表・裏面に芯材１４，１５を積層し、さらに、一方側の芯材１４の表面に表布１２を積層させると共に、他方側の芯材１５の裏面に裏布１３を積層して積層体１７を形成する。次に、積層体１７を構成する各部材１２，１３，１４，１５，１６を複数の糸１８を刺し子縫いすることによって縫合する。この時、複数の糸１８は、平行に並んだ状態で長手方向に伸びるように配列されている。次に、積層体１７の周縁のほつれを防止するために薄革１９を縫い付け、かつ、積層体１７の両短辺側に紐穴２８を開口する。そして、積層体１７を前腕形状に合わせてＣ字状に湾曲させた状態で乾燥させる。最後に、図４に示すように、Ｃ字状に湾曲した状態で硬化した積層体１７を筒２５に結合させることによって小手布団２６が形成される。
【００４１】
なお、本発明に係る小手布団によれば、前腕形状に合わせて湾曲した状態で硬化した生革により、小手布団が前腕形状に合致した形状で保持されるため、剣道用小手を装着した競技者の両腕に確実に固定される。また、積層体を特定競技者の前腕形状に合わせて湾曲させた状態で乾燥させると、小手布団が特定競技者の前腕形状に合致した形状で保持されるため、小手紐を使用しなくても剣道用小手を装着した特定競技者の両腕に確実に固定される。
【符号の説明】
【００４２】
１  剣道用面
２  面金
３  面布団
４  突き垂
５  用心垂
６  台輪
７  縦金
８  横金
９，１０  一対の横金  
１１  物見
１２  表布
１３  裏布
１４  芯材
１５  芯材
１６  生革
１７  積層体
１８  糸
１９  薄革
２０  面縁
２１  鋲
２２  内輪
２３  剣道用小手
２４  小手頭
２５  筒
２６  小手布団
２７  生子
２８  紐穴
【図１】
2015051053.tif 000003
【図２】
2015051053.tif 000004
【図３】
2015051053.tif 000005
【図４】
2015051053.tif 000006
【図５】
2015051053.tif 000007
【図６】
2015051053.tif 000008